(57)【特許請求の範囲】
【請求項１】
冊子媒体を搬送する搬送路の下面側から前記冊子媒体を押し上げるプレッシャ機構を備える冊子媒体取扱装置であって、
前記プレッシャ機構は、
駆動部と、
前記冊子媒体に当接する当接面を有する本体部と、
前記駆動部と連結するベース部と、
前記駆動部による押し上げ動作における前記ベース部の変位を前記本体部に伝達するとともに、前記冊子媒体の押し上げ負荷により弾性変形して前記本体部の変位量を前記ベース部の変位量よりも制限する変位量制限部と、
を備え、
前記ベース部は、前記変位量制限部が所定量以上の弾性変形をした状態で、前記ベース部の変位を前記本体部に伝達する制限量規制部を備えることを特徴とする冊子媒体取扱装置。
【請求項２】
前記駆動部は、シャフトであって、
前記本体部は、前記シャフトに回動自在に軸支され、
前記ベース部は、前記シャフトに固定され、
前記変位量制限部は、前記シャフトの回動動作における前記ベース部の回動を前記本体部に伝達するとともに、前記冊子媒体の押し上げ負荷により弾性変形して前記本体部の回動量を前記ベース部の回動量よりも制限することを特徴とする請求項１記載の冊子媒体取扱装置。
【請求項３】
前記ベース部は、回動半径方向の長さを有する板状部材であって、一端を前記シャフトに固定し、他端を前記変位量制限部を支持する支持部とし、中間部に前記制限量規制部を備えることを特徴とする請求項２記載の冊子媒体取扱装置。
【請求項４】
前記搬送路を挟んで上下に対向する第１の搬送ローラ対と、
前記第１の搬送ローラ対のうち前記搬送路の上側に位置する搬送ローラと同軸にあって、前記冊子媒体を捲る捲りローラと、
を備え、
前記当接面は、
前記第１の搬送ローラ対のうち前記搬送路の下側に位置する搬送ローラが前記搬送路から退避した状態で、前記第１の搬送ローラ対のうち前記搬送路の上側に位置する搬送ローラとともに前記冊子媒体に当接することを特徴とする請求項１乃至請求項３のいずれか１つに記載の冊子媒体取扱装置。
【請求項５】
冊子媒体を搬送する搬送路の下面側から前記冊子媒体を押し上げるプレッシャ機構と、
前記搬送路を挟んで上下に対向する第１の搬送ローラ対と、
前記第１の搬送ローラ対のうち前記搬送路の上側に位置する搬送ローラと同軸にあって、前記冊子媒体を捲る捲りローラと、
を備え、
前記プレッシャ機構は、
駆動部と、
前記冊子媒体に当接する当接面を有する本体部と、
前記駆動部と連結するベース部と、
前記駆動部による押し上げ動作における前記ベース部の変位を前記本体部に伝達するとともに、前記冊子媒体の押し上げ負荷により弾性変形して前記本体部の変位量を前記ベース部の変位量よりも制限する変位量制限部と、
を備え、
前記当接面は、
前記第１の搬送ローラ対のうち前記搬送路の下側に位置する搬送ローラが前記搬送路から退避した状態で、前記第１の搬送ローラ対のうち前記搬送路の上側に位置する搬送ローラとともに前記冊子媒体に当接することを特徴とする冊子媒体取扱装置。
【請求項６】
前記第１の搬送ローラ対と搬送方向で所定距離だけ離れて前記搬送路を挟んで上下に対向する第２の搬送ローラ対を備え、
前記当接面は、前記第１の搬送ローラ対と、前記冊子媒体を狭持する前記第２の搬送ローラ対との間で前記冊子媒体に当接することを特徴とする請求項５記載の冊子媒体取扱装置。
【請求項７】
前記冊子媒体は、幅方向で厚さの異なる部位を有し、
前記プレッシャ機構は、前記冊子媒体の幅方向で厚さの異なる部位に対応して、複数備えられることを特徴とする請求項６記載の冊子媒体取扱装置。
【発明の詳細な説明】
【技術分野】
【０００１】
本発明は、冊子媒体取扱装置に関する。
【背景技術】
【０００２】
金融機関等に設置されるＡＴＭ（Automated Teller Machine：現金自動預け払い機）や通帳発行機は、通帳の所定ページに印字をおこなうために、あるいは受け付けた通帳を閉じて返却するためにページ捲り装置を備える。
【０００３】
ページ捲り装置は、搬送路の下面側から通帳を押し上げるプレッシャ機構を備え、通帳を湾曲させてページ捲りを容易にしている。
たとえば、図１８は、関連技術のページ捲り機構におけるプレッシャの作動例を示す図であり、このページ捲り機構８０は、搬送路を挟んで対向する搬送ローラ８２、８６と、搬送ローラ８３、８４を備える。さらに、ページ捲り機構８０は、搬送ローラ８２と同軸上に捲りローラ８１を、搬送ローラ８２、８６と搬送ローラ８３、８４との間であって搬送路下面側にプレッシャ８５を備える。
【０００４】
プレッシャ８５は、通帳９０を下から押し上げることで通帳を撓ませて、捲りローラ８１によるページ捲りを容易にしている。しかしながら、通帳９０の撓み幅は、プレッシャ８５が押し上げる通帳９０の押し上げ部分の厚みにより変化するため、必ずしも好適な状態に揃えられていない。
【０００５】
たとえば、通帳９０の押し上げ部分の厚みが大きい場合（たとえば、表紙と中紙を含めて１０枚）、通帳９０の撓み幅ｄ３は、比較的大きなものとなる（図１８（ａ））。そして、通帳９０の押し上げ部分の厚みが小さい場合（たとえば、表紙のみ１枚）、通帳９０の撓み幅ｄ４は、比較的小さなものとなる（図１８（ｂ））。
【０００６】
また、関連技術として、頁捲りを実行する頁の厚さ分布を検知し、検知した頁の厚さ分布が異常のとき、頁捲り動作をプッシャにより加勢する頁捲り装置の提案がある（たとえば、特許文献１参照）。
【先行技術文献】
【特許文献】
【０００７】
【特許文献１】特開平９−６６６８６号公報
【発明の概要】
【発明が解決しようとする課題】
【０００８】
しかしながら、プレッシャによる通帳の押し上げ量は、通帳の厚みや状態と関係なく一定である。そのため、捲りローラと捲り対象のページとの関係は、捲り動作をおこなう都度、異なるものとなっている。
【０００９】
プレッシャによる通帳の押し上げ量は、小さすぎると捲りローラが捲りに失敗するおそれが生じ、大きすぎると２枚捲りをしてしまうおそれを生じるため、適当な範囲に納まることが望ましい。
【００１０】
そこで、本発明は、通帳の厚みや状態にばらつきがあっても、安定した通帳の押し上げをおこなうことを可能とする冊子媒体取扱装置の提供を目的とする。
【課題を解決するための手段】
【００１１】
上記課題を解決するために、冊子媒体取扱装置は、冊子媒体を搬送する搬送路の下面側から冊子媒体を押し上げるプレッシャ機構を備え、プレッシャ機構は、駆動部と、本体部と、ベース部と、変位量制限部とを備える。
【００１２】
本体部は、冊子媒体に当接する当接面を有する。ベース部は、駆動部と連結する。変位量制限部は、駆動部による押し上げ動作におけるベース部の変位を本体部に伝達するとともに、冊子媒体の押し上げ負荷により弾性変形して本体部の変位量をベース部の変位量よりも制限する。さらに、ベース部は、変位量制限部が所定量以上の弾性変形をした状態で、ベース部の変位を本体部に伝達する制限量規制部を備える。
【発明の効果】
【００１３】
上記の冊子媒体取扱装置によれば、通帳の厚みや状態にばらつきがあっても、安定した通帳の押し上げをおこなうことができる。
【図面の簡単な説明】
【００１４】
【図１】実施形態のページ捲り装置の搬送状態における斜視図である。
【図２】実施形態のページ捲り装置のプレッシャが上昇した状態における斜視図である。
【図３】実施形態のページ捲り装置のプレッシャが上昇した状態における上面図である。
【図４】実施形態のページ捲り機構を説明するための要部模式図である。
【図５】実施形態のプレッシャ機構の斜視図である。
【図６】実施形態のプレッシャ機構の分解斜視図である。
【図７】実施形態のプレッシャ本体の回動量の制限を説明するための断面模式図である。
【図８】実施形態のプレッシャ本体にかかる負荷が小さいときのプレッシャ機構の斜視図である。
【図９】実施形態のプレッシャ本体にかかる負荷が大きいときのプレッシャ機構の斜視図である。
【図１０】実施形態のプレッシャ本体にかかる負荷が大きいときのページ捲り機構の動作例を説明する図である。
【図１１】実施形態のプレッシャ本体にかかる負荷が大きいときのページ捲り機構の動作例を説明する図である。
【図１２】実施形態のプレッシャ本体にかかる負荷が大きいときのページ捲り機構の動作例を説明する図である。
【図１３】実施形態のプレッシャ本体にかかる負荷が大きいときのページ捲り機構の動作例を説明する図である。
【図１４】実施形態のプレッシャ本体にかかる負荷が小さいときのページ捲り機構の動作例を説明する図である。
【図１５】実施形態のプレッシャ本体にかかる負荷が小さいときのページ捲り機構の動作例を説明する図である。
【図１６】実施形態のプレッシャ本体にかかる負荷が小さいときのページ捲り機構の動作例を説明する図である。
【図１７】実施形態のプレッシャ本体にかかる負荷が小さいときのページ捲り機構の動作例を説明する図である。
【図１８】関連技術のページ捲り機構におけるプレッシャの作動例を示す図である。
【発明を実施するための形態】
【００１５】
以下、実施形態を図面を参照して説明する。まず、ページ捲り装置（冊子媒体取扱装置）の概観を図１から図３を用いて説明する。図１は、実施形態のページ捲り装置の搬送状態における斜視図である。図２は、実施形態のページ捲り装置のプレッシャが上昇した状態における斜視図である。図３は、実施形態のページ捲り装置のプレッシャが上昇した状態における上面図である。
【００１６】
ページ捲り装置１は、ページ捲り機構を有し、ページ捲りユニットとして、現金自動預け払い機または通帳発行機に搭載される。あるいは、ページ捲り装置１は、さらに印刷機構を有し、記帳プリンタユニットとして、現金自動預け払い機または通帳発行機に搭載される。ページ捲り装置１は、搬送路に投入された通帳（冊子媒体）のページを捲る装置である。
【００１７】
ページ捲り装置１は、支持筺体２、可動ガイド３、４、搬送面５、シャフト２０、捲りローラ２１ａ、２１ｂ、２１ｃ、搬送ローラ２２ａ、２２ｂ、シャフト３０、搬送ローラ３１ａ、３１ｂ、プレッシャ１００ａ、１００ｂ、１００ｃを備える。
【００１８】
支持筺体２は、モータやソレノイド等の駆動機構、シャフト２０、３０、その他の駆動力伝達機構、搬送面５、その他を支持する。可動ガイド３、４は、図示しない駆動機構により閉状態と開状態とに切り替え可能であって、閉状態で搬送路の上面を形成し、開状態で捲り上げられたページを支持する。可動ガイド３、４は、シャフト２０を挟んで搬送路に配置される。搬送面５は、可動ガイド３の閉状態において搬送路を挟んで可動ガイド３と対向する。
【００１９】
シャフト２０は、捲りローラ２１ａ、２１ｂ、２１ｃ、搬送ローラ２２ａ、２２ｂを軸支する。捲りローラ２１ａ、２１ｂ、２１ｃは、シャフト２０に固定され、シャフト２０の回動に伴い回動する。捲りローラ２１ａ、２１ｂ、２１ｃは、搬送路を挟んで対向する搬送ローラ（駆動ローラ：図示せず）の駆動により回動する従動ローラである。
【００２０】
シャフト３０は、搬送ローラ３１ａ、３１ｂを軸支する。搬送ローラ３１ａ、３１ｂは、シャフト３０に固定され、シャフト３０の回動に伴い回動する駆動ローラである。搬送ローラ３１ａ、３１ｂは、搬送路を挟んで搬送ローラ（従動ローラ：図示せず）と対向する。
【００２１】
プレッシャ１００ａ、１００ｂ、１００ｃは、図示しないシャフトに軸支され、シャフトの回動に伴い回動する。プレッシャ１００ａ、１００ｂ、１００ｃは、シャフトの回動に伴い、搬送面５から進出（突出）あるいは退避する。プレッシャ１００ａ、１００ｂ、１００ｃは、搬送面５から進出したときに、通帳９０を下面から押し上げることで撓ませて、捲りローラ２１ａ、２１ｂ、２１ｃによる通帳９０のページ捲りを容易にする。プレッシャ１００ａ、１００ｂ、１００ｃは、搬送路を搬送される通帳９０の幅に納まるようにラインＬ１、Ｌ２、Ｌ３上に配置される。プレッシャ１００ｂは、通帳９０の幅方向中央部（ラインＬ２）に位置し、プレッシャ１００ａ、１００ｃは、通帳９０の幅方向端部（ラインＬ１、Ｌ３）に位置する。プレッシャ１００ｃは、通帳９０の磁気ストライプ９１上のラインＬ３に位置する。ラインＬ１、Ｌ２、Ｌ３は、ラインＬ１、Ｌ２間に比較してラインＬ２、Ｌ３間を狭くした不等配置である。また、ラインＬ１、Ｌ２、Ｌ３上には、それぞれ捲りローラ２１ａ、２１ｂ、２１ｃが配置される。
【００２２】
なお、ここで使用される通帳９０は、比較的剛性の高い（硬質の）表紙に、比較的剛性の低い（軟質の）複数の中紙が綴じ込まれた冊子状の構成を有しているものとする。通帳９０は、綴じ目部を中心にして開いた状態であり、表紙には所定の厚みを有して帯状の磁気ストライプ９１を備える。磁気ストライプ９１は、所要の情報を記録可能であり、図示しないリーダライタにより情報の読み出しと書き込みが可能となっている。
【００２３】
次に、ページ捲り装置１が有するページ捲り機構の概略構成について図４を用いて説明する。図４は、実施形態のページ捲り機構を説明するための要部模式図である。
ページ捲り機構１０は、通帳９０の搬送機構として、搬送面５、駆動ローラである搬送ローラ３１、５１、６１と、従動ローラである搬送ローラ４１、２２、７１を備える。搬送ローラ６１は、搬送ローラ７１と搬送路を挟んで対向し、搬送ローラ５１は、搬送ローラ２２と搬送路を挟んで対向し、搬送ローラ３１は、搬送ローラ４１と搬送路を挟んで対向する。
【００２４】
また、搬送路は、搬送路上面と搬送路下面とにより形成され、搬送路上面は、可動ガイド３、４、およびガイド６により形成され、搬送路下面は、搬送面５、およびプレッシャ１００、２００により形成される。
【００２５】
ページ捲り機構１０は、可動ガイド３、搬送面５、ガイド６、捲りローラ２１、搬送ローラ２２、３１、４１、５１、プレッシャ１００を含んで、１つのページ捲り機構（第１のページ捲り機構）を構成する。そして、ページ捲り機構１０は、可動ガイド４、搬送面５、ガイド６、捲りローラ２１、搬送ローラ２２、５１、６１、７１、プレッシャ２００を含んで、もう１つのページ捲り機構（第２のページ捲り機構）を構成する。つまり、ページ捲り機構１０は、捲りローラ２１、搬送ローラ２２、５１を共有する２つのページ捲り機構を有する。
【００２６】
以降、説明を簡潔にするために、同様の動作をする第２のページ捲り機構についての説明を省略し、第１のページ捲り機構について説明する。なお、第１のページ捲り機構と第２のページ捲り機構は、一方がページ送りとなるページ捲りを分担し、他方がページ戻しとなるページ捲りを分担する。たとえば、第１のページ捲り機構は、ページ送りとなるページ捲りを分担し、第２のページ捲り機構は、ページ戻しとなるページ捲りを分担する。
【００２７】
搬送ローラ５１は、モータからの駆動力を伝達するシャフトに回動自在に固定される。搬送ローラ５１は、搬送路に対して昇降可能とされており、搬送時にローラ面を通帳９０に接触させて搬送ローラ２２との間で押圧し、回動することにより通帳９０を搬送路に沿って移動させる。
【００２８】
搬送ローラ２２は、シャフトに回動自在に軸支され、搬送ローラ２２の回動に従動する。捲りローラ２１は、モータからの駆動力を伝達するシャフトに回動自在に固定される。捲りローラ２１は、搬送ローラ２２を軸支するシャフトに固定される。捲りローラ２１は、比較的摩擦力の高いゴム等の弾性材料によってなり、その主要部分は略扇形の断面形状を有して、その扇形形状の曲面部分が捲り対象ページに対する摩擦接触面とされる。この捲りローラ２１は、シャフトの回動に伴い、曲面状の摩擦接触面を捲り対象ページに接触させて摩擦する。なお、捲りローラ２１は、シャフトに同じ取り付け角度で複数（たとえば、３つ）が備えられ、通帳９０を同時に複数個所（たとえば、左右中の３箇所）で押さえつける。また、摩擦接触面からシャフトの中心までの距離は、搬送ローラ２２の半径より大きくされている。また、搬送面５は、捲りローラ２１と干渉しないように、捲りローラ２１の近傍で凹部を有する。
【００２９】
搬送ローラ３１は、モータからの駆動力を伝達するシャフトに回動自在に固定される。搬送ローラ３１は、搬送時にローラ面を通帳９０に接触させて搬送ローラ４１との間で押圧し、回動することにより通帳９０を搬送路に沿って移動させる。搬送ローラ４１は、シャフトに回動自在に軸支され、搬送路に対して昇降可能とされており、搬送ローラ２２の回動に従動する。
【００３０】
プレッシャ１００は、モータからの駆動力を伝達するシャフトに回動自在に固定され、搬送路に対して昇降可能とされている。プレッシャ１００は、シャフトの回動に伴い、プレッシャ本体部を捲り対象ページの裏面側表紙に接触させて通帳９０を押し上げる。プレッシャ１００の詳細は、後で説明する。
【００３１】
可動ガイド３は、図示しない駆動機構により閉状態と開状態とに切り替え可能であって、閉状態で搬送路の上面を形成する。可動ガイド３は、開状態でプレッシャ１００により押し上げられた通帳９０との干渉を回避する。また、可動ガイド３は、捲りローラ２１により捲り上げられたページを支持する。搬送面５、ガイド６は、固定された通帳摺動面である。なお、固定された通帳摺動面は、可動部材との干渉領域をさけて搬送路前後方向に設けられて搬送路を形成する。
【００３２】
次に、プレッシャ機構の詳細について図５から図７を用いて説明する。図５は、実施形態のプレッシャ機構の斜視図である。図６は、実施形態のプレッシャ機構の分解斜視図である。図７は、実施形態のプレッシャ本体の回動量の制限を説明するための断面模式図である。プレッシャ機構は、プレッシャ１００とプレッシャを駆動する駆動部とを含んで構成される。駆動部は、図示しないモータ（駆動装置）とモータの駆動力を伝達するシャフト（駆動部）１９０とを含んで構成される。
【００３３】
プレッシャ１００は、プレッシャ本体１１０、プレッシャガイド（ベース部）１２０、スプリング１３０を含んで構成される。プレッシャ本体１１０は、シャフト挿通穴１１６にシャフト１９０を挿通し、シャフト１９０によって回動自在に軸支される。プレッシャ本体１１０は、搬送面５に臨む側の面に、当接面１１１、搬送面１１２、テーパ面１１３、搬送面１１４、テーパ面１１５を有する。搬送面１１２、テーパ面１１３、搬送面１１４は、プレッシャ１００が搬送面５から退避した状態で、搬送面５と略面一となる。テーパ面１１３、テーパ面１１５は、通帳９０の搬送抵抗を低減するため、搬送面１１４に対して所定の傾斜を有する。当接面１１１は、プレッシャ１００が搬送面５から進出した状態で、押し上げ対象となる通帳９０と当接する。
【００３４】
プレッシャガイド１２０は、折り曲げ加工された板状の板金部材であって、中央部にコ字状の第１凹部１２３を有し、第１凹部１２３に隣接する一端にコ字状の第２凹部１２４を有し、他端に舌状のスプリング載置部１２５を有する。第１凹部１２３は、凹部底面にストッパ部１２１を両側に備える。第１凹部１２３は、プレッシャ１００が搬送面５から突出していない状態で他の可動部材の駆動軸（シャフト）との干渉を避ける。第２凹部１２４は、凹部底面にガイド穴１２２を備える。プレッシャガイド１２０は、第２凹部１２４にシャフト１９０を通して、ガイド穴１２２に小ねじ１４０を挿通してねじ穴２で螺合することでシャフト１９０に固定される。スプリング載置部１２５は、スプリング１３０を載置（支持）する。
【００３５】
プレッシャ本体１１０は、圧縮コイルばねからなるスプリング１３０に支持される。シャフト１９０の回動動作は、プレッシャガイド１２０と、プレッシャガイド１２０とプレッシャ本体１１０との間に介装されたスプリング１３０とを介してプレッシャ本体１１０に伝達される。このとき、プレッシャ本体１１０に所定以上の負荷がかかっていれば、スプリング１３０の弾性変形（圧縮）によりプレッシャ本体１１０の回動量Ｒ２は、シャフト１９０、プレッシャガイド１２０の回動量Ｒ１よりも制限される。したがって、スプリング１３０は、プレッシャ本体１１０の回動量を制限する回動量（変位量）制限部として機能する。なお、スプリング１３０は、トーションスプリングや引張コイルばねなど、その他のばねでもよく、弾性変形により変位量を制限するものであれば、ばねに限らずゴムやウレタンなどの弾性部材であってもよい。
【００３６】
制限量規制部１１７は、プレッシャ本体１１０に開いた窓枠であって、窓枠内を移動するストッパ部１２１と当接することで、プレッシャガイド１２０に対するプレッシャ本体１１０の相対的な回動量Ｒ３を規制する。制限量規制部１１７は、プレッシャ本体１１０に負荷がかからない状態において窓枠下端でストッパ部１２１と当接し、プレッシャ本体１１０に所定以上の負荷がかかった状態において窓枠上端でストッパ部１２１と当接する。
【００３７】
スプリング１３０が所定量以上の圧縮をした状態で制限量規制部１１７と窓枠上端で当接したストッパ部１２１は、プレッシャ本体１１０をスプリング１３０とともに支持する。したがって、スプリング１３０は、所定量を超えて圧縮することはない。このように、制限量規制部１１７は、スプリング１３０が制限するプレッシャ本体１１０の回動制限量を所定範囲に規制する機能を有する。
【００３８】
このように、プレッシャ本体１１０は、当接面１１１にかかる負荷に応じてプレッシャガイド１２０に対する相対的な回動量Ｒ３が大きくなるので、プレッシャ本体１１０が押し上げる通帳９０の撓み量を所定範囲に揃えることができる。具体的には、プレッシャ本体１１０が押し上げる通帳９０の厚みが小さいとき、当接面１１１にかかる負荷が小さいので、プレッシャ本体１１０は、プレッシャガイド１２０と同程度に回動する。プレッシャ本体１１０が押し上げる通帳９０の厚みが大きいとき、当接面１１１にかかる負荷が大きいので、プレッシャ本体１１０は、プレッシャガイド１２０より回動量が小さくなる。
【００３９】
次に、プレッシャ本体１１０への負荷による回動量の変化について、図８、図９を用いて説明する。図８は、実施形態のプレッシャ本体にかかる負荷が小さいときのプレッシャ機構の斜視図である。図９は、実施形態のプレッシャ本体にかかる負荷が大きいときのプレッシャ機構の斜視図である。
【００４０】
プレッシャ本体１１０が通帳９０を押し上げたときにプレッシャ本体１１０にかかる負荷が小さい場合、スプリング１３０は、ほとんど圧縮されない（図８）。したがって、プレッシャ本体１１０は、シャフト１９０を回動軸にしてプレッシャガイド１２０と同程度に回動する。
【００４１】
プレッシャ本体１１０が通帳９０を押し上げたときにプレッシャ本体１１０にかかる負荷が大きい場合、スプリング１３０は、圧縮される（図９）。したがって、プレッシャ本体１１０は、シャフト１９０を回動軸にして回動するが、プレッシャ本体１１０の回動量は、プレッシャガイド１２０の回動量と比較して小さなものとなる。
【００４２】
なお、負荷がない状態、あるいは極めて小さい場合において、プレッシャガイド１２０のストッパ部１２１が制限量規制部１１７に当接してプレッシャ本体１１０を支持するようにしてもよい。この場合、スプリング１３０は、所定範囲の負荷がある場合に、すなわちストッパ部１２１が制限量規制部１１７に当接しない場合に、プレッシャ本体１１０を支持する。
【００４３】
プレッシャ本体にかかる負荷が小さい場合とは、たとえば、通帳９０を綴じ目部を中心にして開いた状態で押し上げ側のページ数が少ない場合、通帳９０の紙厚が小さい場合などがある。一方、プレッシャ本体にかかる負荷が大きい場合とは、たとえば、通帳９０を綴じ目部を中心にして開いた状態で押し上げ側のページ数が多い場合、通帳９０の紙厚が大きい場合、表紙に磁気ストライプやシールが貼付されて表紙の厚さが増している場合、などがある。
【００４４】
次に、プレッシャ１００にかかる負荷が大きいときのページ捲り機構１０の動作例について、図１０から図１３を用いて説明する。図１０から図１３は、実施形態のプレッシャ本体にかかる負荷が大きいときのページ捲り機構の動作例を説明する図である。プレッシャ１００にかかる負荷が大きいときとして、プレッシャ１００が持ち上げる通帳９０が厚いときの、ページ捲り機構１０がおこなうページ捲り動作を例示する。
【００４５】
ページ捲り機構１０は、図中左から右に向かって、通帳９０を開いた状態にしてページ捲りに好適な所定位置まで搬送する（図１０（ａ））。このとき、捲りローラ２１の下には、通帳９０の捲り対象ページが位置する。プレッシャ１００の上には、綴じ目部を中心にして開いた通帳９０の捲り対象ページを含む側が位置する。図示する通帳９０は、綴じ目部を中心にして開いた通帳９０の捲り対象ページを含む側が比較的大きな厚さを有している。
【００４６】
ページ捲り機構１０は、搬送ローラ３１をロックする（図１０（ｂ））。ページ捲り機構１０は、搬送ローラ３１と、搬送ローラ３１と対向する搬送ローラ４１との間で通帳９０を保持する。これにより、ページ捲り機構１０は、プレッシャ１００による通帳９０の押し上げ時に通帳９０が右側に逃げないようにする。また、ページ捲り機構１０は、可動ガイド３を開状態に切り替える（図１０（ｂ））。これにより、ページ捲り機構１０は、プレッシャ１００により押し上げられた通帳９０と可動ガイド３との干渉を回避する。また、ページ捲り機構１０は、搬送ローラ５１を搬送路から退避する（図１０（ｂ））。これにより、ページ捲り機構１０は、搬送ローラ５１が通帳９０の撓みを妨げることを回避する。また、ページ捲り機構１０は、プレッシャ１００を搬送路から進出して通帳９０を押し上げる（図１０（ｂ））。これにより、ページ捲り機構１０は、通帳９０を撓ませて捲りローラ２１によるページ捲りを容易にする。
【００４７】
このとき、通帳９０の捲り対象ページを含む側が比較的大きな厚さを有していることから、薄いときに比べてプレッシャ１００にかかる負荷は、比較的大きい。プレッシャ１００は、負荷にしたがいスプリング１３０を圧縮することで通帳９０の持ち上げ量を抑制する。
【００４８】
このように、ページ捲り機構１０は、通帳９０の持ち上げ量を抑制しても通帳９０の捲り対象ページを含む側が比較的大きな厚さを有するため、搬送ローラ２２とプレッシャ１００を支点にして撓む通帳９０の撓み幅ｄ１は好適な範囲となる。
【００４９】
ページ捲り機構１０は、捲りローラ２１を反時計回りに回動して捲り対象ページを捲り上げる（図１１（ａ））。これにより、ページ捲り機構１０は、捲りローラ２１により捲り対象ページを保持する。また、ページ捲り機構１０は、プレッシャ１００を搬送路から退避する（図１１（ｂ））。これにより、ページ捲り機構１０は、押し上げた通帳９０のうち捲り対象ページ以外の撓みを解除することで２枚捲りを防止する。
【００５０】
ページ捲り機構１０は、捲りローラ２１を反時計回りにさらに回動して捲り対象ページを捲りローラ２１の上に跳ね上げる（図１２（ａ））。また、ページ捲り機構１０は、搬送路から退避していた搬送ローラ５１を搬送路に進出する（図１２（ｂ））。これにより、ページ捲り機構１０は、搬送ローラ５１と、搬送ローラ５１と対向する搬送ローラ２２との間で通帳９０を保持する。そして、ページ捲り機構１０は、図中右から左に向かって、通帳９０を搬送する（図１２（ｂ））。
【００５１】
ページ捲り機構１０は、可動ガイド３を閉状態に切り替えて、搬送ローラ３１を時計回りに回動して初期位置に戻す（図１３）。
このように、ページ捲り機構１０は、捲り対象ページを含む側が比較的大きな厚さを有する通帳９０を好適にページ捲りすることができる。
【００５２】
次に、プレッシャ１００にかかる負荷が小さいときのページ捲り機構１０の動作例について、図１４から図１７を用いて説明する。図１４から図１７は、実施形態のプレッシャ本体にかかる負荷が小さいときのページ捲り機構の動作例を説明する図である。プレッシャ１００にかかる負荷が小さいときとして、プレッシャ１００が持ち上げる通帳９０が薄いときの、ページ捲り機構１０がおこなうページ捲り動作を例示する。
【００５３】
ページ捲り機構１０は、図中左から右に向かって、通帳９０を開いた状態にしてページ捲りに好適な所定位置まで搬送する（図１４（ａ））。このとき、捲りローラ２１の下には、通帳９０の捲り対象ページが位置する。プレッシャ１００の上には、綴じ目部を中心にして開いた通帳９０の捲り対象ページを含む側が位置する。図示する通帳９０は、綴じ目部を中心にして開いた通帳９０の捲り対象ページを含む側が比較的小さな厚さを有している。
【００５４】
ページ捲り機構１０は、搬送ローラ３１をロックする（図１４（ｂ））。ページ捲り機構１０は、搬送ローラ３１と、搬送ローラ３１と対向する搬送ローラ４１との間で通帳９０を保持する。これにより、ページ捲り機構１０は、プレッシャ１００による通帳９０の押し上げ時に通帳９０が右側に逃げないようにする。また、ページ捲り機構１０は、可動ガイド３を開状態に切り替える（図１４（ｂ））。これにより、ページ捲り機構１０は、プレッシャ１００により押し上げられた通帳９０と可動ガイド３との干渉を回避する。また、ページ捲り機構１０は、搬送ローラ５１を搬送路から退避する（図１４（ｂ））。これにより、ページ捲り機構１０は、搬送ローラ５１が通帳９０の撓みを妨げることを回避する。また、ページ捲り機構１０は、プレッシャ１００を搬送路から進出して通帳９０を押し上げる（図１４（ｂ））。これにより、ページ捲り機構１０は、通帳９０を撓ませて捲りローラ２１によるページ捲りを容易にする。
【００５５】
このとき、通帳９０の捲り対象ページを含む側が比較的小さな厚さを有していることから、厚いときに比べてプレッシャ１００にかかる負荷は、比較的小さい。プレッシャ１００は、負荷が小さいことからスプリング１３０を圧縮することなく通帳９０を持ち上げる。このとき、プレッシャ１００は、持ち上げ量を抑制することなく通帳９０を持ち上げる。
【００５６】
このように、ページ捲り機構１０は、通帳９０の捲り対象ページを含む側が比較的小さな厚さしか有しなくても、通帳９０の持ち上げ量を抑制しないため搬送ローラ２２とプレッシャ１００を支点にして撓む通帳９０の撓み幅ｄ２は好適な範囲となる。
【００５７】
ページ捲り機構１０は、捲りローラ２１を反時計回りに回動して捲り対象ページを捲り上げる（図１５（ａ））。これにより、ページ捲り機構１０は、捲りローラ２１により捲り対象ページを保持する。また、ページ捲り機構１０は、プレッシャ１００を搬送路から退避する（図１５（ｂ））。これにより、ページ捲り機構１０は、押し上げた通帳９０のうち捲り対象ページ以外の撓みを解除することで２枚捲りを防止する。
【００５８】
ページ捲り機構１０は、捲りローラ２１を反時計回りにさらに回動して捲り対象ページを捲りローラ２１の上に跳ね上げる（図１６（ａ））。また、ページ捲り機構１０は、搬送路から退避していた搬送ローラ５１を搬送路に進出する（図１６（ｂ））。これにより、ページ捲り機構１０は、搬送ローラ５１と、搬送ローラ５１と対向する搬送ローラ２２との間で通帳９０を保持する。そして、ページ捲り機構１０は、図中右から左に向かって、通帳９０を搬送する（図１６（ｂ））。
【００５９】
ページ捲り機構１０は、可動ガイド３を閉状態に切り替えて、搬送ローラ３１を時計回りに回動して初期位置に戻す（図１７）。
このように、ページ捲り機構１０は、捲り対象ページを含む側が比較的小さな厚さを有する通帳９０を好適にページ捲りすることができる。
【００６０】
また、ページ捲り機構１０は、通帳の厚みや状態にばらつきがあっても、安定した通帳の押し上げをおこなうことができ、好適なページ捲りを実現する。
また、ページ捲り機構１０は、プレッシャ１００の可動範囲（上昇範囲）を、たとえば、従来３ｍｍから５ｍｍとしていたところ、２ｍｍから８ｍｍとすることができるなど、通帳の厚みや状態にばらつきに対する対応範囲を拡張する。
【００６１】
なお、スプリング１３０は、プレッシャ本体１１０の回動量を制限する例を示したが、プレッシャ本体が、たとえば、上下方向の直線運動をする場合、直線方向の移動量（変位量）を制限するようにしてもよい。
【００６２】
なお、上述の実施形態は、実施形態の要旨を逸脱しない範囲内において種々の変更を加えることができる。
さらに、上述の実施形態は、多数の変形、変更が当業者にとって可能であり、説明した正確な構成および応用例に限定されるものではない。
【符号の説明】
【００６３】
１  ページ捲り装置
２  支持筺体
３、４  可動ガイド
５  搬送面
６  ガイド
１０  ページ捲り機構
２０、３０  シャフト
２１  捲りローラ
２２、３１、４１、５１、６１、７１  搬送ローラ
１００、１００ａ、１００ｂ、１００ｃ、２００  プレッシャ
１１０  プレッシャ本体
１１１  当接面
１１２、１１４  搬送面
１１３、１１５  テーパ面
１１６  シャフト挿通穴
１１７  制限量規制部
１２０  プレッシャガイド
１２１  ストッパ部
１２２  ガイド穴
１２３  第１凹部
１２４  第２凹部
１２５  スプリング載置部
１３０  スプリング
１９０  シャフト
【図１】
0005462087.tif 000002
【図２】
0005462087.tif 000003
【図３】
0005462087.tif 000004
【図４】
0005462087.tif 000005
【図５】
0005462087.tif 000006
【図６】
0005462087.tif 000007
【図７】
0005462087.tif 000008
【図８】
0005462087.tif 000009
【図９】
0005462087.tif 000010
【図１０】
0005462087.tif 000011
【図１１】
0005462087.tif 000012
【図１２】
0005462087.tif 000013
【図１３】
0005462087.tif 000014
【図１４】
0005462087.tif 000015
【図１５】
0005462087.tif 000016
【図１６】
0005462087.tif 000017
【図１７】
0005462087.tif 000018
【図１８】
0005462087.tif 000019